(57)【要約】【課題】  比較的簡易なシート状の素材をベースとしながらも、あたかも本格的な額縁様の装飾効果を得ることのできるディスプレイ資材の開発を技術課題とした。【解決手段】  ベースシート２の中央が切り抜かれて、この部位を窓部４とするとともにその周辺を枠部５とし、このベースシート２は、ウラ面２Ｂ側をマイクロ吸盤構造３とするとともに、枠部５のオモテ面２Ａ側には額状装飾５Ａが施され、前記ベースシート２のウラ面から掲示物Ｐの周囲が枠部５内縁に重なるように固定されて、窓部４からオモテ面２Ａに露見するようにし、更に枠部５をマイクロ吸盤構造３により適宜の設置面Ｗに固定することを特徴として成る。【選択図】図１
2019058616.tif 000002
【特許請求の範囲】
【請求項１】
ベースシートの中央が切り抜かれて、この部位を窓部とするとともにその周辺を枠部とし、
このベースシートは、ウラ面側をマイクロ吸盤構造とするとともに、枠部のオモテ面側には額状装飾が施され、
前記ベースシートのウラ面から掲示物の周囲が枠部内縁に重なるように固定されて、窓部からオモテ面に露見するようにし、
更に枠部をマイクロ吸盤構造により適宜の設置面に固定することを特徴とする装飾効果を高めたディスプレイ資材。
【請求項２】
前記掲示物は、窓部ウラ面に設けられた透明ポケットに収容されて窓部に固定されることを特徴とする請求項１記載の装飾効果を高めたディスプレイ資材。
【請求項３】
前記枠部のオモテ面の装飾は、プリントされた額状装飾とすることを特徴とする請求項１または２記載の装飾効果を高めたディスプレイ資材。
【請求項４】
前記枠部のオモテ面の装飾は、嵩高帯状の別体額状装飾が貼り付けられたものとすることを特徴とする請求項１または２記載の装飾効果を高めたディスプレイ資材。
【発明の詳細な説明】
【技術分野】
【０００１】
本発明は写真、絵画等の美術作品や、商業用ポスター等のグラフィック作品等を効果的に展示できるようにした装飾効果を高めたディスプレイ資材に関するものである。
【背景技術】
【０００２】
一般に絵画や写真等の美術作品を飾るには、これらを額縁に入れて全体として装飾効果を高めることが行われている。
しかしながら実際の日常生活や商業的ディスプレイにあっては、このようないわば本格的な額縁に入れるような装飾手法は、必ずしも現実に合ったものとは言えない。むしろ比較的簡易な手法で且つ種々の展示場所、展示手法を変えることができるようなものが有効であることが多い（例えば特許文献１、２参照）。
【先行技術文献】
【特許文献】
【０００３】
【特許文献１】特開２０１３−９９４５４公報
【特許文献２】特開２００７−０９７８５５公報
【発明の概要】
【発明が解決しようとする課題】
【０００４】
本発明はこのような現実の要求に応えることを目的としてなされたものであって、比較的簡易なシート状の素材をベースとしながらも、あたかも本格的な額縁様の装飾効果を得ることのできるディスプレイ資材の開発を技術課題としたものである。
【課題を解決するための手段】
【０００５】
すなわち請求項１記載の装飾効果を高めたディスプレイ資材は、ベースシートの中央が切り抜かれて、この部位を窓部とするとともにその周辺を枠部とし、このベースシートは、ウラ面側をマイクロ吸盤構造とするとともに、枠部のオモテ面側には額状装飾が施され、前記ベースシートのウラ面から掲示物の周囲が枠部内縁に重なるように固定されて、窓部からオモテ面に露見するようにし、更に枠部をマイクロ吸盤構造により適宜の設置面に固定することを特徴として成るものである。
【０００６】
また請求項２記載の装飾効果を高めたディスプレイ資材は、前記要件に加え、前記掲示物は、窓部ウラ面に設けられた透明ポケットに収容されて窓部に固定されることを特徴として成るものである。
【０００７】
更にまた請求項３記載の装飾効果を高めたディスプレイ資材は、前記要件に加え、前記枠部のオモテ面の装飾は、プリントされた額状装飾とすることを特徴として成るものである。
【０００８】
更にまた請求項４記載の生体情報検知装置は、前記請求項１または２記載の要件に加え、前記枠部のオモテ面の装飾は、嵩高帯状の別体額状装飾が貼り付けられたものとすることを特徴として成るものである。
そしてこれら各請求項記載の発明を手段として前記課題の解決が図られる。
【発明の効果】
【０００９】
まず請求項１記載の発明によれば、比較的簡易なシート状の素材をベースとしながらも、あたかも本格的な額縁様の装飾効果を得ることができ、写真、絵画等の美術作品や、商業用ポスター等のグラフィック作品等の掲示物を効果的に展示することができる。
【００１０】
また請求項２記載の発明によれば、透明ポケットにより、掲示物の表面を保護することができるとともに、透明ポケットに収容される掲示物を容易に交換することが可能となる。
【００１１】
更にまた請求項３記載の発明によれば、枠部に対する額状装飾の形成を容易に行うことができる。
【００１２】
更にまた請求項４記載の発明によれば、枠部に対する装飾を重厚なものとすることができ、更に枠部の保形性を著しく向上させることができる。
【図面の簡単な説明】
【００１３】
【図１】本発明の装飾効果を高めたディスプレイ資材の使用状況を示す斜視図及び分解図である。
【図２】同上、一部拡大して示す正面図（ａ）及び一部を拡大断面図として示す背面図である。
【図３】掲示物固定部へ掲示物を固定する様子を一部拡大して示す斜視図である。
【図４】掲示物固定部へ掲示物を固定する様子を示す背面図及び平面図（ａ）並びに設置面に貼付されたディスプレイ資材を示す正面図及び平面図（ｂ）である。
【図５】掲示物固定部へ透明ポケットを設置した実施例を示す背面図（ａ）及び透明ポケットに掲示物を挿入する様子を示す背面図及び平面図（ｂ）である。
【図６】嵩高帯状の別体額状装飾並びにこのものが枠部に貼り付け形成された状態を一部拡大して示す斜視である。
【図７】ベースシートの窓部を有効活用する実施例を示す正面図である。
【図８】枠部の形状を異ならせたディスプレイ資材の種々の実施例を示す正面図である。
【発明を実施するための形態】
【００１４】
本発明の装飾効果を高めたディスプレイ資材の最良の形態は以下に示すとおりであるが、この形態に対して本発明の技術的思想の範囲内において適宜変更を加えることも可能である。
【実施例】
【００１５】
図中、符号１で示すものは本発明の装飾効果を高めたディスプレイ資材（以下、ディスプレイ資材と称する。）の基本となる実施例を示したものであり、このものは、ベースシート２の中央が切り抜かれて、この部位を窓部４とするとともにその周辺を枠部５としたものである。そして前記ベースシート２のウラ面２Ｂから掲示物Ｐの周囲が枠部５の内縁に重なるように固定され、窓部４から掲示物Ｐがオモテ面２Ａに露見するようにされた状態で、ベースシート２のウラ面２Ｂ側に形成されたマイクロ吸盤構造３により、枠部５が窓等適宜の設置面に固定されるものである。
また枠部５のオモテ面２Ａ側には額状装飾５Ａが施されており、これにより比較的簡易なベースシート２を素材としながらも、あたかも本格的な額縁様の装飾効果を得ることができるものである。
【００１６】
以下、ディスプレイ資材１の構成について詳細に説明する。このものはポリプロピレン等の樹脂を素材として形成される厚さ数十〜数百μｍ程度のベースシート２を、所望の形状、寸法に裁断して形成されるものであり、掲示物Ｐよりも一回り大きなサイズとされる。この実施例では、一例としてＬ判写真用紙を掲示物Ｐとするものとし、ベースシート２の寸法を１７０×２２０ｍｍとした。
【００１７】
またベースシート２の中央に形成される窓部４の寸法を、８７×１３６ｍｍとした。
なお掲示物Ｐの寸法は、各種写真用紙サイズ（例えばＬ判  ８９×１２７ｍｍ〜全紙
４５７×５６０ｍｍ）、ＩＳＯ２１６で画定されている紙の仕上がり寸法（例えばＡ列のＡ４  ２１０×２９７ｍｍ、Ｂ列、Ｃ列）、ＪＩＳ  Ｐ  ０１３８で画定されている紙の仕上がり寸法（Ｂ５  １８２×２５７ｍｍ等）等とされるが、これ以外の寸法であってもよい。
なお図２（ａ）に拡大して示すように、窓部４の隅部４１にＲを付けるようにしてもよく、この場合、剥離シート７を剥がすときに隅部４１にかかる負荷を分散させて破れを防止することができる。
【００１８】
そしてベースシート２における枠部５のオモテ面２Ａ側には、額状装飾５Ａが施されるものであり、図２（ａ）に示すようにベースシート２の外縁部からその内側２０ｍｍ前後の部位に、額縁を模した印刷が施される。この額状装飾５Ａのデザインは、主として金属フレームを模したもの、木製フレームを模したものとされ、例えばＬＥＤプリンタ、レーザープリンタ、インクジェトプリンタ等によって種々のデザインのものを容易に形成することができるものである。
またこの実施例では、ベースシート２における額状装飾５Ａと窓部４との間には、装飾が施されていていない無地（この実施例では白色）の部位ができるものであり、この部分は既存の額縁におけるマットを表現したマット部５０とされるものである。
なお額状装飾５Ａの一部には、適宜文字を印刷するようにしてもよく、例えばディスプレイ資材１をノベルティグッズとして配布する場合には、企業名、商品名等が印刷される。
【００１９】
一方、前記ベースシート２のウラ面２Ｂに形成されるマイクロ吸盤構造３は、特殊アクリル樹脂を塗布することにより、図４（ａ）に拡大して示すように直径１００μｍ以下の微細な吸着穴３１が形成されたものであり、この吸着穴３１が吸盤のように作用するものである。
すなわちマイクロ吸盤構造３は、糊粘着ではなく、吸盤効果により設置面Ｗに密着するものである為、何度でも貼ったり剥がしたりすることが出来るものである。
なおマイクロ吸盤構造３が吸着することのできる設置面Ｗとしては、ガラス、すりガラス、ビニル壁紙、樹脂板、ＡＢＳ、上質紙、板紙、コンクリート（平滑が保たれている面）、金属面、ＰＰ、ＰＥ、合板、塗装板によって形成された面が挙げられる。
【００２０】
因みにマイクロ吸盤構造３が形成されたディスプレイ資材１を設置面Ｗに貼り付けるにあたっては、ウラ面２Ｂと設置面Ｗとの間に位置する空気は、隣接する吸着穴３１を通じてベースシート２外に放出されるため（いわゆるエア抜け）皺や気泡の入らない、綺麗な貼り付けを実施することができる。
またマイクロ吸盤構造３によるディスプレイ資材１の設置面Ｗへの固定は、糊粘着ではなく、吸盤効果により行われるものであり、剥がした後に付着物がほとんど残ることがない。
更にまたマイクロ吸盤構造３の汚れにより吸着力が低下したときには、水洗浄、ウェットティシュ・ごみ取りローラ等により汚れを除去することにより、吸着力を回復することがでいきる。
【００２１】
そしてこのように枠部５のウラ面２Ｂ側にはマイクロ吸盤構造３が形成されるものであり、図２（ｂ）に示すように窓部４周辺の一定範囲、すなわち掲示物Ｐが窓部４から露見しない部分の範囲を掲示物固定部２１とする。一方、掲示物固定部２１以外の部分を設置固定部２２とする。
【００２２】
そして前記マイクロ吸盤構造３の全域は、厚さ数十μｍ程度の剥離シート７が貼り付けられることにより保護されるものであり、この剥離シート７は一例としてポリエチレン等の樹脂フィルムにより形成されるものである。
この実施例では、マイクロ吸盤構造３の全域に一枚の剥離シート７を貼り付けるようにするが、前記掲示物固定部２１と設置固定部２２との間に弱化線を設けることにより、掲示物固定部２１に貼り付けられる部位を、設置固定部２２に貼り付けられる部位から分離できるようにしてもよく、この場合、それぞれ掲示物固定部保護部７１、設置固定部保護部７２とする。
【００２３】
本発明の装飾効果を高めたディスプレイ資材１は、一例として上述したように構成されるものであり、以下、装飾効果を高めたディスプレイ資材１の使用態様について説明する。
【００２４】
先ず図３に拡大して示すように、平板にウラ面２Ｂを上にした状態で載置されたベースシート２から、剥離シート７を剥がし取る。この際、剥離シート７が掲示物固定部保護部７１と設置固定部保護部７２とに分けられている場合には、掲示物固定部保護部７１のみを剥がし取る。
【００２５】
次いで図４（ａ）に示すように、適宜位置決めをしながら掲示物固定部２１に対して掲示物Ｐの外縁部を貼り付けて、オモテ面２Ａ側の窓部４から掲示物Ｐが露見するようにする。この際、マイクロ吸盤構造３は糊粘着ではなく、吸盤効果により対象物に密着するものである為、吸着力をほとんど損なうことなく、貼りなおしを行うことができる。
【００２６】
次いで剥離シート７の設置固定部保護部７２が残っている場合にはこれを剥がし取り、図４（ｂ）に示すように設置固定部２２を設置面Ｗに貼り付ける。
この結果、掲示物Ｐが窓部４から露見したディスプレイ資材１は、図１に示すようにあたかも本格的な額縁様の装飾効果を得ることができ、写真、絵画等の美術作品や、商業用ポスター等のグラフィック作品等の掲示物Ｐを効果的に展示することができる。
この際、マイクロ吸盤構造３は糊粘着ではなく、吸盤効果により対象物に密着するものである為、吸着力をほとんど損なうことなく、貼りなおしを行うことができる。
【００２７】
〔透明ポケットを用いる実施例〕
次に窓部４への掲示物Ｐの固定に、透明樹脂製の透明ポケット６を用いる実施例について説明する。
この実施例では図５（ａ）に示すように、適宜位置決めをしながら掲示物固定部２１に対して袋状の透明ポケット６を外縁部を貼り付ける。
次いで図５（ｂ）に示すように、透明ポケット６の挿入口６１かた掲示物Ｐを挿入し、オモテ面２Ａ側の窓部４から掲示物Ｐが露見するようにする。
このような実施例が採られる場合、透明ポケット６により、掲示物Ｐの表面を保護することができるとともに、光沢を与える効果が奏される。また透明ポケット６に収容される掲示物Ｐを容易に交換することが可能となる。
【００２８】
〔枠部の装飾を別体額状装飾とする実施例〕
次に枠部の装飾を別体額状装飾５Ｂとする実施例について説明する。
この実施例では図６に示すように、ベースシート２のオモテ面２Ａにおける外縁部に対し、別体額状装飾５Ｂが貼り付けされるものである。
この別体額状装飾５Ｂには、カット面を一例として４５°とした、内側に向けて下る斜面が形成されるものであり、この斜面に対して刺繍が施された布地５ｂ等を貼り付けるようにした。
なお別体額状装飾５Ｂの底面にマイクロ吸盤構造３を形成することにより、ベースシート２への貼り付け、交換を容易に行うことが可能となる。
ししてこのような別体額状装飾５Ｂを採用することにより、枠部５に対して重厚な額状装飾５Ａを形成することができ、あたかも本格的な額縁様の装飾効果を得ることができる。
更にシート状の枠部５の保形性を著しく向上させることができ、設置面Ｗへのディスプレイ資材１の貼り付けを容易且つ確実なものとすることができる。
【００２９】
〔窓部形成のために除去されるベースシートを有効活用する実施例〕
次に窓部４形成のために除去されるベースシート２を有効活用する実施例について説明する。
この実施例では図７（ａ）に示すように、窓部４を形成するために除去されたベースシート２に、更に窓部４０を形成することにより、このものをディスプレイ資材１０とするものである。このものはディスプレイ資材１と同様に、マイクロ吸盤構造３によって適宜の設置面Ｗに貼り付けられる。
更に窓部４を形成するために除去されたベースシート２に、更に窓部４００を形成することにより、このものをディスプレイ資材１００とすることもできる。
【００３０】
また図７（ｂ）に示すように、窓部４を形成するために除去されたベースシート２に、適宜広告メッセージを印字しておくことにより、このものを広告シート８として活用することができる。このものはディスプレイ資材１と同様に、マイクロ吸盤構造３によって適宜の設置面Ｗに貼り付けられる。
なお前記広告メッセージに替えて会社名、所属部、名前、電話番号等を記載することにより、窓部４を形成するために除去されるベースシート２を名刺とすることができる。
【００３１】
〔ディスプレイ資材の変形例〕
また本発明のディスプレイ資材１は、窓部４及び枠部５の形状を適宜変更できるものであり、図８（ａ）〜（ｄ）にその変形例を示す。
まず図８（ａ）に示す実施例は、基本となる実施例で採用されたマット部５０を排除し、枠部５の内側直の部分に窓部４を形成した実施例である。
また図８（ｂ）に示す実施例は、枠部５及び窓部４の形状をハート形とした実施例である。
また図８（ｃ）に示す実施例は、枠部５及び窓部４の形状を長楕円形とした実施例である。
また図８（ｄ）に示す実施例は、枠部５及び窓部４の形状を菱形とした実施例である。
【符号の説明】
【００３２】
１      （装飾効果を高めた）ディスプレイ資材
１０    （装飾効果を高めた）ディスプレイ資材
１００  （装飾効果を高めた）ディスプレイ資材
２      ベースシート
２Ａ    オモテ面
２Ｂ    ウラ面
２１    掲示物固定部
２２    設置固定部
３      マイクロ吸盤構造
３１    吸着穴
４      窓部
４０    窓部
４００  窓部
４１    隅部
５      枠部
５Ａ    額状装飾
５Ｂ    別体額状装飾
５ｂ    布地
５０    マット部
６      透明ポケット
６１    挿入口
７      剥離シート
７１    掲示物固定部保護部
７２    設置固定部保護部
８      広告シート
Ｐ      掲示物
Ｗ      設置面
【図１】
2019058616.tif 000003
【図２】
2019058616.tif 000004
【図３】
2019058616.tif 000005
【図４】
2019058616.tif 000006
【図５】
2019058616.tif 000007
【図６】
2019058616.tif 000008
【図７】
2019058616.tif 000009
【図８】
2019058616.tif 000010